(57)【要約】【課題】外観品位と耐衝撃性に優れたヒンジユニットを備える電子機器を提供する。【解決手段】ヒンジユニット６００を介してカメラ本体１００に表示ユニット５００が回転軸６０２を中心として回動自在に配置され、回転軸６０２に一部が巻き付けられると共にカメラ本体１００と表示ユニット５００との間隙Ｄを通過するように配置されたＦＰＣ７００によりカメラ本体１００と表示ユニット５００とが接続されたデジタルカメラにおいて、ヒンジユニット６００は、カメラ本体１００に固定され、間隙ＤからのＦＰＣ７００の露出を防止する遮蔽部材８００を備える。遮蔽部材８００は、カメラ本体１００に固定され、可撓性を有し、回転軸６０２の長手方向に延出する腕部８０２と、腕部８０２の先端に設けられ、回転軸６０２を中心とした円弧形状を有し、ＦＰＣ７００において回転軸６０２に巻き付けられた部分を覆う環状カバー部８０３とを有する構成とする。【選択図】図８
2016139651.tif 000002
【特許請求の範囲】
【請求項１】
ヒンジユニットを介して機器本体に対して可動体が回動自在に取り付けられ、前記可動体の回動中心となる回転軸に一部が巻き付けられると共に前記機器本体と前記可動体との間隙を通過するように配置されたフレキシブルプリント基板によって前記機器本体と前記可動体とが電気的に接続された電子機器であって、
前記ヒンジユニットは、
前記回転軸と、
前記機器本体に固定され、前記回転軸と接合される第１の保持部材と、
前記可動体に固定され、前記回転軸に軸支される第２の保持部材と、
前記第１の保持部材に固定され、前記間隙からの前記フレキシブルプリント基板の露出を防止する遮蔽部材と、を備え、
前記遮蔽部材は、
前記機器本体に固定され、可撓性を有し、前記回転軸の長手方向に延出する腕部と、
前記腕部の先端に設けられ、前記回転軸を中心とした円弧形状を有する環状カバー部と、を有することを特徴とする電子機器。
【請求項２】
前記環状カバー部は、前記フレキシブルプリント基板において前記回転軸に巻き付けられた部分を覆うことを特徴とする請求項１に記載の電子機器。
【請求項３】
前記フレキシブルプリント基板は、前記機器本体に接続される第１端部と、前記可動体に接続される第２端部と、前記第１端部と前記第２端部とをつなぐ接続部と、を有し、
前記環状カバー部は、前記腕部が延出する方向に延在して開口するスリット部を有し、
前記フレキシブルプリント基板の前記一部が前記回転軸に巻き付けられた状態で、前記接続部において前記回転軸に対する巻き終わりとなる部分が前記スリット部に位置することを特徴とする請求項１又は２に記載の電子機器。
【請求項４】
前記電子機器は、撮像装置であることを特徴とする請求項１乃至３のいずれか１項に記載の電子機器。
【発明の詳細な説明】
【技術分野】
【０００１】
本発明は、電子機器に関し、特に、電子機器の本体に対して回動自在に支持された表示装置等の可動体を備える電子機器に関する。
【背景技術】
【０００２】
デジタルカメラや携帯通信端末機等の電子機器には、機器本体に対して、ＬＣＤ（液晶ディスプレイ）を有する表示装置等の可動体がヒンジユニットを介して回動自在に取り付けられたものがある。このような表示装置を備えるデジタルカメラでは、ハイアングルやローアングル等の様々な角度から被写体を確認しながら撮像を行うことができ、また、自分撮り撮影（セルフィー）も容易に行うことができる。
【０００３】
ここで、表示装置と機器本体の内部に配置された回路基板とは、表示装置への電源や映像信号等を伝達するために、フレキシブルプリント基板（以下「ＦＰＣ」という）で接続されている。例えば、特許文献１には、表示装置の回動動作に支障をきたすことなくＦＰＣを配線するヒンジユニットとして、ヒンジ軸の外周面にＦＰＣを巻き付けた構成が開示されている。
【０００４】
また、特許文献１には、外観品位の低下を防止するために、表示装置を機器本体に対して回動可能に配置するために設けられた一定の間隙から、ヒンジ軸の外周面に巻き付けられたＦＰＣが外部に露出することを防止する構成が記載されている。具体的には、ＦＰＣが機器本体と表示装置の間を通過する間隙において、表示装置からヒンジ軸に沿って環形状に突出した突出部と、この突出部を覆うように機器本体に設けられた溝部から成る凸凹構造を有する遮蔽手段が提案されている。
【先行技術文献】
【特許文献】
【０００５】
【特許文献１】特開２００３−１５２３５７号公報
【発明の概要】
【発明が解決しようとする課題】
【０００６】
しかしながら、落下等によって機器本体と表示装置との相対位置にずれを生じさせる負荷が機器本体に加わった場合に上記特許文献１に記載されたヒンジユニットでは、環形状に突出した突出部が機器本体に設けられた溝部に衝突して破損してしまうおそれがある。特に、ＦＰＣの露出を防止するために突出部の長さを十分に確保しようとすると、突出部の根元部分に応力が集中して破損しやすくなる。一方、突出部の長さを短くしてしまうと、ＦＰＣの露出を防止する遮蔽機能が不十分となってしまう。また、表示装置の回動動作時には、突出部がヒンジ軸に巻き付けられたＦＰＣの外周を回転するため、突出部がＦＰＣを傷付けてしまうことでＦＰＣの配線を切断してしまうおそれがある。
【０００７】
本発明は、外観品位と耐衝撃性に優れたヒンジユニットを備える電子機器を提供することを目的とする。
【課題を解決するための手段】
【０００８】
本発明に係る電子機器は、ヒンジユニットを介して機器本体に対して可動体が回動自在に取り付けられ、前記可動体の回動中心となる回転軸に一部が巻き付けられると共に前記機器本体と前記可動体との間隙を通過するように配置されたフレキシブルプリント基板によって前記機器本体と前記可動体とが電気的に接続された電子機器であって、前記ヒンジユニットは、前記回転軸と、前記機器本体に固定され、前記回転軸と接合される第１の保持部材と、前記可動体に固定され、前記回転軸に軸支される第２の保持部材と、前記第１の保持部材に固定され、前記間隙からの前記フレキシブルプリント基板の露出を防止する遮蔽部材と、を備え、前記遮蔽部材は、前記機器本体に固定され、可撓性を有し、前記回転軸の長手方向に延出する腕部と、前記腕部の先端に設けられ、前記回転軸を中心とした円弧形状を有する環状カバー部と、を有することを特徴とする。
【発明の効果】
【０００９】
本発明によれば、外観品位に優れ、耐衝撃性に優れたヒンジユニットを実現することができ、これにより、信頼性と外観品位に優れた電子機器を提供することができる。
【図面の簡単な説明】
【００１０】
【図１】本発明の実施形態に係るデジタルカメラを構成するカメラ本体の正面側斜視図及び背面側斜視図である。
【図２】図１に示すカメラ本体に対して表示ユニットが開方向に１８０°回動操作された状態を示す正面側斜視図及び背面側斜視図である。
【図３】図１に示すカメラ本体の分解斜視図である。
【図４】図１に示すカメラ本体に配置された表示ユニットをカメラ本体の正面側から見た分解斜視図及び部分拡大図である。
【図５】図１に示すカメラ本体と表示ユニットとを連結するヒンジユニットをカメラ本体の正面側から見た分解斜視図である。
【図６】図５に示すヒンジユニットが有するフレキシブルプリント基板を展開した状態を示す斜視図である。
【図７】図５に示すヒンジユニットが有する遮蔽部材の構造を示す斜視図である。
【図８】図１に示すカメラ本体の背面図及び部分拡大図である。
【図９】図５に示すヒンジユニットにおいて遮蔽部材が固定された状態での環状カバー部及びその近傍の構成を示す本実施形態での断面図と、遮蔽部材が固定される前の環状カバー部及びその近傍の参考例での構成を示す断面図である。
【発明を実施するための形態】
【００１１】
以下、本発明の実施形態について添付図面を参照して詳細に説明する。ここでは、本発明に係る電子機器の一例として、所謂、デジタルカメラを取り上げることとする。
【００１２】
図１は、本発明の実施形態に係るデジタルカメラを構成するカメラ本体１００の外観斜視図であり、図１（ａ）は正面側（被写体側）から見た斜視図であり、図１（ｂ）は背面側から見た斜視図である。
【００１３】
カメラ本体１００は、本発明に係る電子機器を構成する機器本体の一例である。カメラ本体１００の正面側には、不図示の撮影用レンズ鏡筒を取り付けるためのレンズマウント１０１、撮影用レンズ鏡筒をレンズマウント１０１から取り外すためのロック解除ボタン１０２、及び、ＡＦ補助光窓１０３が設けられている。カメラ本体１００の上面側には、レリーズボタン１０４、電子ダイヤル１０５、電源ボタン１０６、モードレバー１０７、動画撮影ボタン１０８、マイク穴１０９、及び、ポップアップ式のストロボ装置１１０が設けられている。
【００１４】
カメラ本体１００の両側面には、カメラ本体１００の誤落下防止用のネックストラップを通すための紐通し穴１１４が設けられている。カメラ本体１００の正面側から見て右側の側面には、解除レバー１１１、コネクタカバー１１２、及び、スロットカバー１１３が設けられている。解除レバー１１１をカメラ本体１００の前方側へスライド操作することによりストロボ装置１１０がポップアップし、ストロボ光の発光が可能な状態になる（適宜、図２（ａ）参照）。コネクタカバー１１２は、カメラ本体１００に対して開閉可能に設けられ、閉状態でアナログビデオ端子や電源端子、デジタル端子等が配置された端子ユニットを覆う。スロットカバー１１３は、カメラ本体１００に対して開閉可能に設けられ、閉状態で半導体メモリカード等の記憶媒体を格納するスロットを覆う。
【００１５】
カメラ本体１００の背面側には、ＬＣＤを含む表示ユニット５００が、後述するヒンジユニット６００（図４参照）を介して回動自在に配置されている。なお、表示ユニット５００は、本発明に係る電子機器を構成する可動体の一例である。また、カメラ本体１００の背面側には、各種操作を行うための操作ボタン群１１５が設けられている。更に、カメラ本体１００の背面側から見て右側の側面部には、操作ボタン１１６と外部アクセサリ取り付けネジ１１７とが設けられ、カメラ本体１００の背面側から見て右側の上面部には、スピーカ穴１１８が設けられている。
【００１６】
図２は、カメラ本体１００に対して表示ユニット５００が開方向に１８０°回動操作された状態を示す外観斜視図であり、図２（ａ）は正面側から見た斜視図であり、図２（ｂ）は背面側から見た斜視図である。
【００１７】
表示ユニット５００は、カメラ本体１００に対して１８０°開方向に回動操作された状態で全開状態となる。図１では、表示ユニット５００はカメラ本体１００の背面側に収容されており、この状態では、表示画面はカメラ本体１００の背面側を向いている。一方、図２に示すように、表示ユニット５００が全開状態にあるときには、表示ユニット５００の表示画面５００ａがカメラ本体１００の上方に位置して被写体側を向く。したがって、デジタルカメラは、表示ユニット５００を全開状態とすることで、自分撮り撮影に適した状態となる。
【００１８】
図３は、カメラ本体１００の分解斜視図である。カメラ本体１００は、メインユニット２００と、前カバーユニット３００と、後カバーユニット４００と、表示ユニット５００とで構成されている。表示ユニット５００は、ヒンジユニット６００を介して、メインユニット２００に回動自在に取り付けられる。
【００１９】
図４（ａ）は、表示ユニット５００をカメラ本体１００の正面側から見た分解斜視図であり、図４（ｂ）は、図４（ａ）中に示すＡ部の拡大図である。表示ユニット５００は、正面側から背面側に向けて順番に配置されるヒンジカバー５０１、ヒンジユニット６００、外装カバー５０２、及び、画像表示装置５０３を有する。
【００２０】
画像表示装置５０３は、両面テープ５０４等の接着部材を用いて外装カバー５０２に固定され、保持される。ヒンジユニット６００は、画像表示装置５０３と外装カバー５０２とを保持して、カメラ本体１００（図４に不図示）に固定される。ヒンジカバー５０１は、ヒンジユニット６００の正面側を覆う部品である。
【００２１】
次に、ヒンジユニット６００の構成について、図４（ｂ）及び図５乃至図７を参照して詳細に説明する。図５はヒンジユニット６００をカメラ本体１００の正面側から見た分解斜視図である。ヒンジユニット６００は、本体保持部材６０１、回転軸６０２及び可動体保持部材６０３を有する。本体保持部材６０１は、カメラ本体１００に固定される第１の保持部材である。回転軸６０２は、本体保持部材６０１に接合され、表示ユニット５００の回動中心となる。可動体保持部材６０３は、外装カバー５０２を保持する第２の保持部材である。
【００２２】
回転軸６０２は、本体保持部材６０１の両端に設けられたカーリング部である円筒形状の保持部６０１ａに対して溶接等により固定されている。可動体保持部材６０３には、回転軸６０２を抱持するカーリング部である円筒形状の保持部６０３ａが設けられており、回転軸６０２を中心として回転可能に軸支されている。また、可動体保持部材６０３には、回転軸６０２を中心として回動する際に適度な摩擦抵抗を付与するフリクション部材６０４が取り付けられる。
【００２３】
ヒンジユニット６００は、画像表示装置５０３とカメラ本体１００に設けられた不図示の回路基板とを電気的に接続し、電源や映像信号等の伝達を可能にするフレキシブルプリント基板（ＦＰＣ）７００を有する。ＦＰＣ７００の一部は、両面テープ等で回転軸６０２に固定された部分を起点として、回転軸６０２に巻き付けられている。
【００２４】
図６は、ＦＰＣ７００を展開した状態を示す斜視図である。ＦＰＣ７００の一部には、回転軸６０２に固定するための両面テープ７０１が貼り着けられている。ＦＰＣ７００は、カメラ本体１００の内部に設けられた不図示の回路基板に接続される第１端部７０２と、画像表示装置５０３に接続される第２端部７０３とを有する。
【００２５】
ＦＰＣ７００では、第１端部７０２と第２端部７０３とは接続部７０４でつながっており、接続部７０４にタブ部７０５が設けられている。ＦＰＣ７００を回転軸６０２に巻き付ける際には、タブ部７０５を回転軸６０２に設けられた不図示の位置決め部に合わせてから両面テープ７０１による貼り付けを行う。これにより、回転軸６０２に対してＦＰＣ７００を高い精度で貼り付けることができる。
【００２６】
ＦＰＣ７００の第２端部７０３側の一部には、多巻回領域７０６が設けられている。多巻回領域７０６は、回転軸６０２に両面テープ７０１で貼り着けられた部分の外周に巻き付けられ、本実施形態では約２周分の巻き付けが可能な長さに設定されている。ＦＰＣ７００の多巻回領域７０６は、可動体保持部材６０３が回転軸６０２を中心として回動する際に、回転軸６０２に対して締緩動作する。これにより、ＦＰＣ７００の損傷が防止されると共に、表示ユニット５００のスムーズな回動動作が可能となる。なお、多巻回領域７０６での回転軸６０２に対する巻回数は、約２周に限られるものではなく、実験等により適切な数に設定される。
【００２７】
図５に示すように、ヒンジユニット６００の本体保持部材６０１には、遮蔽部材８００が固定される。図７は、遮蔽部材８００の構造を示す斜視図である。遮蔽部材８００は、ベース部８０１と、腕部８０２及び環状カバー部８０３を有する。遮蔽部材８００は、ベース部８０１に設けられた位置決め用凸部８０１ａを本体保持部材６０１に設けられた位置決め用穴部６０１ｂに嵌合させることで本体保持部材６０１に対して位置決めされ、不図示のビスで固定される。
【００２８】
遮蔽部材８００は、ベース部８０１から延出した腕部８０２を有する。そして、腕部８０２の先端には、断面が円弧形状を有する環状カバー部８０３が設けられている。環状カバー部８０３は、先端部８０３ａ，８０３ｂにより形成され、腕部８０２が延出する方向に延在して開口するスリット部８０３ｃを有する。そのため、環状カバー部８０３は腕部８０２の延出方向と直交する断面が略Ｃ字型となる形状を有する。
【００２９】
腕部８０２は、遮蔽部材８００がヒンジユニット６００の本体保持部材６０１に固定されると、図４（ｂ）に示すように、回転軸６０２の長手方向に沿って延在するように配置される。また、遮蔽部材８００が本体保持部材６０１に固定されると、回転軸６０２及び回転軸６０２に巻き付けられたＦＰＣ７００の一部がスリット部８０３ｃを通して環状カバー部８０３の内部に進入し、配置される。より詳しくは、回転軸６０２に巻き付けられたＦＰＣ７００における接続部７０４の外周と環状カバー部８０３の内周との間に一定の間隙が形成された状態で、環状カバー部８０３が接続部７０４の外周を覆う。
【００３０】
本実施形態では、ヒンジユニット６００の可動体保持部材６０３が回動すると、フリクション部材６０４が可動体保持部材６０３の回動動作に応じて可動体保持部材６０３と共に回動する。一方、本体保持部材６０１と回転軸６０２は回動しない。つまり、本体保持部材６０１に固定された遮蔽部材８００とＦＰＣ７００において回転軸６０２に貼り付けられた部分は回転しない。したがって、本体保持部材６０１と回転軸６０２とＦＰＣ７００と遮蔽部材８００との位置関係は、可動体保持部材６０３の回動動作によって変化しない。
【００３１】
図８（ａ）は、カメラ本体１００の背面図であり、図８（ｂ）は、図８（ａ）に示す領域Ｂの拡大図である。後カバーユニット４００は、後カバー４０１を有する。なお、図８（ｂ）では、説明の便宜上、後カバー４０１と表示ユニット５００の外装カバー５０２を破線で示している。また、図８（ｂ）では、遮蔽部材８００の形状を明瞭に示すために、ＦＰＣ７００の第１端部７０２側の一部を省略している。
【００３２】
後カバー４０１と外装カバー５０２との間には、表示ユニット５００の回動動作を可能にするための間隙Ｄが設けられている。ＦＰＣ７００の第１端部７０２は、遮蔽部材８００の手前側を通過してメインユニット２００に設けられたコネクタ２０１に接続され、ＦＰＣ７００の第２端部７０３は、画像表示装置５０３に接続されている。遮蔽部材８００の環状カバー部８０３は、回転軸６０２を抱持しながら所定の間隙Ｄに跨るように配置され、その際に、環状カバー部８０３の一端は外装カバー５０２の内部に位置し、他端はカメラ本体１００の内部に位置する。更に、遮蔽部材８００の腕部８０２は、前述したように、回転軸６０２の長手方向に沿って延在するように配置される。よって、環状カバー部８０３によって、回転軸６０２に巻き付けられたＦＰＣ７００の間隙Ｄからの外部への露出が防止される。
【００３３】
また、本実施形態では、カメラ本体１００と外装カバー５０２とは、環状カバー部８０３を挟んで配置されており、環状カバー部８０３は、前述の通り、カメラ本体１００に固定された可撓性を有する腕部８０２に接続されている。そのため、カメラ本体１００が落下等したときの衝撃（外力）によってカメラ本体１００と表示ユニット５００を構成する外装カバー５０２との相対位置がずれても、相対位置の変位に腕部８０２が追従することで、衝撃を吸収することができる。したがって、カメラ本体１００に作用した外力による環状カバー部８０３の破損を抑制することができる。
【００３４】
次に、遮蔽部材８００のヒンジユニット６００への組み付け時と組み付け後の特徴について説明する。図９（ａ）は、遮蔽部材８００がヒンジユニット６００に固定された状態での、回転軸６０２の長手方向と直交する面での環状カバー部８０３及びその近傍の構成を示す本実施形態での断面図である。図９（ｂ）は、遮蔽部材８００がヒンジユニット６００に固定される前の状態での、回転軸６０２の長手方向に直交する面での環状カバー部８０３及びその近傍の参考例での構成を示す断面図である。
【００３５】
図６に示したように、ＦＰＣ７００は、股部７０７を有する。股部７０７は、回転軸６０２にＦＰＣ７００を巻き付けた際の、接続部７０４の巻き終わりとなる部分である。図９（ａ）に示すように、遮蔽部材８００が本体保持部材６０１に組み付けられた状態では、股部７０７は、環状カバー部８０３の先端部８０３ａ，８０３ｂによって形成されるスリット部８０３ｃの間に位置している。これにより、図９（ａ）で右側から遮蔽部材８００を本体保持部材６０１に組み付ける際に、環状カバー部８０３の先端部８０３ａが股部７０７を回転軸６０２から引き剥がすことはない。
【００３６】
ここで、ＦＰＣ７００が回転軸６０２に巻き付けられたときに、股部７０７が図９（ｂ）の参考例に示す位置に配置された場合を考える。この参考例の場合、図９（ｂ）で右側から遮蔽部材８００を本体保持部材６０１に組み付けたときに、環状カバー部８０３の先端部８０３ａが、股部７０７に接触してしまう可能性がある。その結果、先端部８０３ａがＦＰＣ７００の股部７０７を回転軸６０２から引き剥がしてしまい、また、ＦＰＣ７００の配線を切断してしまうおそれがある。したがって、ＦＰＣ７００の股部７０７は、図９（ａ）に示すように、環状カバー部８０３の先端部８０３ａ，８０３ｂ間のスリット部８０３ｃに位置する構成とすることが望ましい。
【００３７】
本実施形態では、前述したように、ヒンジユニット６００は、表示ユニット５００（可動体保持部材６０３）が回転軸６０２を中心に回動しても、本体保持部材６０１と回転軸６０２は回動しない。つまり、本体保持部材６０１に固定された遮蔽部材８００と回転軸６０２に巻回されたＦＰＣ７００の位置関係は、表示ユニット５００の回動動作によって変化しない。したがって、表示ユニット５００の回動動作に伴ってＦＰＣ７００と環状カバー部８０３の相対位置が変化することがなく、環状カバー部８０３の先端部８０３ａ，８０３ｂが股部７０７を回転軸６０２から引き剥がすことがない。
【００３８】
上記の説明の通り、本実施形態によれば、機器本体と可動体とがヒンジユニットを介して連結されると共にＦＰＣによって電気的に接続された電子機器において、機器本体に対して可動体を回動させるために設けられた所定の間隙からヒンジユニットが露出することを防止することができる。また、ＦＰＣの露出を遮蔽する遮蔽部材が、電子機器の落下等に起因する衝撃によって破損することが抑制されることで、ＦＰＣの露出を防止することができ、電子機器の外観品位を向上させることができる。更に、ＦＰＣの露出を遮蔽する遮蔽部材が、可動体の回動時に回転軸に巻回されたＦＰＣを引き剥がし或いは切断させてしまうことを防止することができ、電子機器の信頼性を高めることができる。
【００３９】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。例えば、本発明に係る電子機器は、上述したデジタルカメラ（撮像装置）に限定されず、可動体を備える各種の電子機器に適用することができ、一例としては、折り畳み式の携帯通信端末やパーソナルコンピュータ、ゲーム機等を挙げることができる。
【符号の説明】
【００４０】
１００    カメラ本体
５００    表示ユニット
５０２    外装カバー
６００    ヒンジユニット
６０１    本体保持部材
６０２    回転軸
６０３    可動体保持部材
７００    ＦＰＣ（フレキシブルプリント基板）
７０２    第１端部
７０３    第２端部
７０４    接続部
７０７    股部
８００    遮蔽部材
８０２    腕部
８０３    環状カバー部
８０３ａ，８０３ｂ    先端部
８０３ｃ    スリット部
【図１】
2016139651.tif 000003
【図２】
2016139651.tif 000004
【図３】
2016139651.tif 000005
【図４】
2016139651.tif 000006
【図５】
2016139651.tif 000007
【図６】
2016139651.tif 000008
【図７】
2016139651.tif 000009
【図８】
2016139651.tif 000010
【図９】
2016139651.tif 000011